(57)【要約】【課題】  紙面全体を表示した場合であっても、個々の文書の文字を認識することが可能な文書配置装置を提供する。【解決手段】  面種別、面番号と対応付けて文書データを記憶した文書データ記憶手段と、文書データを配置するための文書配置領域を複数有するレイアウトパターンを記憶したレイアウトパターン記憶手段を有し、選択された面（一面）の面種別に対応するレイアウトパターンを取得し、選択された面の面番号に対応する文書データを取得し、各文書データを、取得されたレイアウトパターンが有する文書配置領域Ｒ１〜Ｒ５に所定の大きさ以上の文字サイズで配置して表示する。【選択図】  図８
2014013436.tif 000002
【特許請求の範囲】
【請求項１】
面種別、面番号と対応付けて文書データを記憶した文書データ記憶手段と、
前記文書データを配置するための文書配置領域を複数有するレイアウトパターンを記憶したレイアウトパターン記憶手段と、
選択された面の面種別に対応するレイアウトパターンを前記レイアウトパターン記憶手段から取得するレイアウトパターン取得手段と、
前記選択された面の面番号に対応する文書データを前記文書データ記憶手段から取得し、各文書データを、前記取得されたレイアウトパターンが有する文書配置領域に所定の大きさ以上の文字サイズで配置する文書配置手段と、
前記文書配置手段により前記レイアウトパターンに前記文書データが配置されて得られるページデータを記憶するページデータ記憶手段と、
を有することを特徴とする文書配置装置。
【請求項２】
前記文書配置手段は、前記取得されたレイアウトパターンに設けられた文書配置領域の数より前記選択された面に対応する文書データの数が多い場合に、前記文書配置領域に配置できない文書データについては、当該文書データに対応する見出しを配置するものであることを特徴とする請求項１に記載の文書配置装置。
【請求項３】
請求項１または請求項２に記載の文書配置装置として、コンピュータを機能させるためのプログラム。
【発明の詳細な説明】
【技術分野】
【０００１】
本発明は、文字情報を有する文書データの表示技術に関し、特に、紙媒体と同様の体裁で文書データを表示するのに好適な技術に関する。
【背景技術】
【０００２】
近年、コンピュータ技術の発達により、様々な情報が電子化されてきている。新聞記事についても同様であり、新聞紙面に掲載された記事は電子化され、新聞社のＷｅｂサイトで閲覧可能になっている。
【０００３】
新聞社のＷｅｂサイトでは、新聞記事と同様の記事が掲載されているものの、その体裁は新聞の実紙面とは全く異なっており、新聞の実紙面と同様の体裁で読みたいという読者の要望に応えきれていない。一方、新聞の実紙面と同様の新聞イメージの画像を表示する技術も開発されている（特許文献１参照）。
【先行技術文献】
【特許文献】
【０００４】
【特許文献１】特開２００７−３２３３６９号公報
【発明の概要】
【発明が解決しようとする課題】
【０００５】
しかしながら、上記特許文献１に記載の技術では、新聞イメージの画像として表示するため、紙面全体を表示した際に文字が小さ過ぎて、記事等の文書を拡大した表示に変更しないと、書いてある内容を確認できないという問題がある。
【０００６】
そこで、本発明は、紙面全体を表示した場合であっても、個々の文書の文字を認識することが可能な文書配置装置を提供することを課題とする。
【課題を解決するための手段】
【０００７】
上記課題を解決するため、本発明第１の態様では、面種別、面番号と対応付けて文書データを記憶した文書データ記憶手段と、前記文書データを配置するための文書配置領域を複数有するレイアウトパターンを記憶したレイアウトパターン記憶手段と、選択された面の面種別に対応するレイアウトパターンを前記レイアウトパターン記憶手段から取得するレイアウトパターン取得手段と、前記選択された面の面番号に対応する文書データを前記文書データ記憶手段から取得し、各文書データを、前記取得されたレイアウトパターンが有する文書配置領域に所定の大きさ以上の文字サイズで配置する文書配置手段と、前記文書配置手段により前記レイアウトパターンに前記文書データが配置されて得られるページデータを記憶するページデータ記憶手段と、を有することを特徴とする文書配置装置を提供する。
【０００８】
本発明第１の態様によれば、選択された面に対応する文書データを、選択された面の種別に応じたレイアウトパターンに所定の大きさ以上の文字サイズで配置して表示するようにしたので、同様の紙媒体が存在する場合にも、その紙媒体と同様な体裁で表示することができるとともに、表示された文字が確実に認識できるようにすることが可能となる。特に、面の違いによって特有のレイアウトがなされている新聞に対応する表示を行う場合、紙面イメージと近いものになり、紙の新聞を読んでいる感覚で表示された内容を読むことができる。
【０００９】
また、本発明第２の態様は、本発明第１の態様の文書配置装置において、前記文書配置手段は、前記取得されたレイアウトパターンに設けられた文書配置領域の数より前記選択された面に対応する文書データの数が多い場合に、前記文書配置領域に配置できない文書データについては、当該文書データに対応する見出しを配置するものであることを特徴とする。
【００１０】
本発明第２の態様によれば、レイアウトパターンに設けられた文書配置領域の数より取得された文書データの記事数が多い場合に、文書配置領域に配置できない文書データについては、その文書データに対応する見出しを配置するようにしたので、優先度が低く内容を表示することができない文書についても見出しだけは確認することが可能となる。
【発明の効果】
【００１１】
本発明によれば、紙面全体を表示した場合であっても、個々の文書の文字を認識することが可能となるという効果を有する。
【図面の簡単な説明】
【００１２】
【図１】文書表示システムの構成図である。
【図２】携帯型端末１０（文書表示装置）の詳細を示す図である。
【図３】文書配置サーバ２０（文書配置装置）の詳細を示す図である。
【図４】文書データ記憶手段Ｄ２に記憶された情報の一例を示す図である。
【図５】レイアウトパターン記憶手段Ｄ３に記憶された情報の一例を示す図である。
【図６】レイアウトパターンの例を示す図である。
【図７】文書配置サーバ２０の処理動作を示すフローチャートである。
【図８】単位文書データが配置され、表示された状態の携帯型端末１０の画面を示す図である。
【図９】文書表示システムの処理動作を示すシーケンス図である。
【発明を実施するための形態】
【００１３】
＜１．システム構成＞
以下、本発明の好適な実施形態について図面を参照して詳細に説明する。図１は、本発明の一実施形態に係る文書表示システム１００の構成図である。図１において、１０は携帯型端末、２０は文書配置サーバ、３０はネットワークである。携帯型端末１０、文書配置サーバ２０はインターネット等の公衆のネットワーク３０に接続されており、互いにデータの送受信が可能となっている。
【００１４】
携帯型端末１０は、スマートフォン、タブレットＰＣ等の情報処理機能、ネットワーク通信機能、表示機能を備えた携帯可能な端末装置であり、文書データを表示する文書表示装置として機能する。本発明を実施するに際し、携帯型端末１０は通話機能を備えていなくても良い。文書配置サーバ２０は、文書データを所定のレイアウトに配置し、配置の結果得られたページデータを、携帯型端末１０からの要求に応じて供給するサーバコンピュータであり、本発明の一実施形態に係る文書配置装置として機能する。
【００１５】
図２（ａ）は、携帯型端末１０のハードウェア構成図である。携帯型端末１０は、タブレットＰＣに専用のプログラムを組み込むことにより実現される。タブレットＰＣとは、インターネット接続機能を有する平板状のパーソナルコンピュータである。図２（ａ）に示すように、携帯型端末１０は、ＣＰＵ（Central Processing Unit）１０ａと、メインメモリであるＲＡＭ（Random Access Memory）１０ｂと、ＣＰＵが実行するプログラムやデータを記憶するための不揮発性の記憶装置１０ｃ（例えば、ハードディスク、フラッシュメモリ等）と、キーボード、タッチパネル等の指示入力部１０ｄと、外部装置（データ記憶媒体等）とデータ通信するためのデータ入出力Ｉ／Ｆ（インタフェース）１０ｅと、表示部（液晶ディスプレイ等）１０ｆと、ネットワークを介して他のコンピュータとネットワーク通信を行うための通信部１０ｇを備え、互いにバスを介して接続されている。携帯型端末１０として、スマートフォンを用いる場合は、図２（ａ）に示したようなハードウェア構成を有するスマートフォンに専用のプログラムを組み込むことにより実現される。スマートフォンとは、音声通話以外にインターネット接続等ができ、パソコンと同様の機能を有する多機能型携帯電話である。
【００１６】
図２（ｂ）は、携帯型端末１０の機能ブロック図である。図２（ａ）に示したハードウェア構成において、ＣＰＵ１０ａが記憶装置１０ｃに記憶されたプログラムをＲＡＭ１０ｂに読み込んで実行することにより、携帯型端末１０は、図２（ｂ）に示した各手段を機能させることが可能となる。図２（ｂ）に示すように、携帯型端末１０は、ページデータ要求手段１１、ページデータ取得手段１２、表示手段１３、ページデータ記憶手段Ｄ１を有する。
【００１７】
ページデータ要求手段１１は、指示入力部１０ｄによる指示に従って、文書配置サーバ２０にページデータの要求を行う手段であり、ＣＰＵ１０ａが、通信部１０ｇを制御することにより実現される。ページデータ取得手段１２は、文書配置サーバ２０からページデータを取得して、ページデータ記憶手段Ｄ１に格納する手段であり、ＣＰＵ１０ａが、通信部１０ｇ、記憶装置１０ｃを制御することにより実現される。
【００１８】
表示手段１３は、ページデータ記憶手段Ｄ１に記憶されたページデータを表示する手段であり、ＣＰＵ１０ａが、ビューア等の表示制御プログラムを実行し、表示部１０ｆを制御することにより実現される。
【００１９】
ページデータ記憶手段Ｄ１は、ページデータを記憶した記憶手段である。ページデータは、ＨＴＭＬ等のページ記述言語で作成されたものである。ページデータ記憶手段Ｄ１に記憶されたページデータは、上述のように、表示手段１３により抽出され、画面表示される。
【００２０】
図３（ａ）は、文書配置サーバ２０のハードウェア構成図である。文書配置サーバ２０は、汎用のサーバコンピュータで実現することができ、図３（ａ）に示すように、ＣＰＵ（Central Processing Unit）２０ａと、コンピュータのメインメモリであるＲＡＭ（Random Access Memory）２０ｂと、ＣＰＵが実行するプログラムやデータを記憶するための大容量の記憶装置２０ｃ（例えば、ハードディスク、フラッシュメモリ等）と、キーボード、マウス等の入力機器からの入力を受け付ける入力Ｉ／Ｆ（インタフェース）２０ｄと、外部装置（データ記憶媒体等）とデータ通信するためのデータ入出力Ｉ／Ｆ（インタフェース）２０ｅと、表示装置（液晶ディスプレイ等）に情報を送出するための表示出力Ｉ／Ｆ（インタフェース）２０ｆと、ネットワークを介して他のコンピュータとネットワーク通信を行うための通信部２０ｇを備え、互いにバスを介して接続されている。
【００２１】
図３（ｂ）は、文書配置サーバ２０の機能ブロック図である。図３（ａ）に示したハードウェア構成において、ＣＰＵ２０ａが記憶装置２０ｃに記憶されたプログラムをＲＡＭ２０ｂに読み込んで実行することにより、文書配置サーバ２０は、図３（ｂ）に示した各手段を機能させることが可能となる。図３（ｂ）に示すように、文書配置サーバ２０は、レイアウトパターン取得手段２１、文書配置手段２２、ページデータ取得手段２３、ページデータ送信手段２４、文書データ記憶手段Ｄ２、レイアウトパターン記憶手段Ｄ３、ページデータ記憶手段Ｄ４を有する。
【００２２】
レイアウトパターン取得手段２１は、入力Ｉ／Ｆ２０ｄを介して指定された面に対応するレイアウトパターンをレイアウトパターン記憶手段Ｄ３から取得する手段であり、ＣＰＵ２０ａが、専用のプログラムを実行することにより実現される。
【００２３】
文書配置手段２２は、指定された面に対応する文書データを、レイアウトパターン取得手段２１により取得されたレイアウトパターンに配置する手段であり、ＣＰＵ２０ａが、専用のプログラムを実行することにより実現される。
【００２４】
ページデータ取得手段２３は、携帯型端末１０からのページデータの要求に応じて、ページデータ記憶手段Ｄ４からページデータを取得する手段であり、ＣＰＵ２０ａが専用のプログラムを実行することにより実現される。ページデータ送信手段２４は、ページデータ取得手段２３により取得されたページデータを携帯型端末１０に送信する手段であり、通信部２０ｇがＣＰＵ２０ａから受けた送信命令を実行することにより実現される。
【００２５】
文書データ記憶手段Ｄ２は、文書データを記憶した記憶手段である。文書データは、文字データで構成されたものであり、面番号、面種別、文書番号と対応付けて記憶されている。例えば、新聞の内容を表示する場合、１つの文書データは、１つの記事に対応する。レイアウトパターン記憶手段Ｄ３は、面種別と対応付けてレイアウトパターンを記憶した記憶手段である。文書データ記憶手段Ｄ２、レイアウトパターン記憶手段Ｄ３は、記憶装置２０ｃ内に文書データ、レイアウトパターンを記憶するための所定の領域を確保することにより実現される。
【００２６】
図４は、文書データ記憶手段Ｄ２に記憶された情報の一例を示す図である。図４に示すように、文書データ記憶手段Ｄ２には、面番号、面種別、文書番号が文書情報として記憶されている。また、この文書情報に対応付けて文字データである文書データが記憶されている。文書番号は、各面において一意に特定されるように付与されている。図４の例では、面番号「Ｍ１」の面は、面種別が「１面」であり、文書がＫ１〜Ｋ６の６個あることを示している。
【００２７】
図５は、レイアウトパターン記憶手段Ｄ３に記憶された情報の一例を示す図である。図５に示すように、レイアウトパターン記憶手段Ｄ３には、面種別とレイアウトパターン番号の対応関係が記憶されている。また、このレイアウトパターン番号に対応付けてレイアウトパターンが記憶されている。図５の例では、面種別「１面」は、レイアウトパターンＰ１のレイアウトパターンを用いることを示している。
【００２８】
＜２．事前準備＞
まず、事前の準備として、利用者は、所定の手順により自身のスマートフォン等を携帯型端末１０として機能させるための専用プログラムを入手する。例えば、専用プログラムを“アプリ”と呼ばれるプログラムとして、専用プログラムの提供者がネットワーク上の所定のサーバに登録しておき、利用者がスマートフォンから、そのサーバにアクセスしてダウンロードすることにより、専用プログラムを入手することができる。この専用プログラムをスマートフォンにダウンロードすることにより、ＵＲＬ等の文書配置サーバ２０にアクセスするためのネットワーク上のアドレスが携帯型端末１０の記憶装置１０ｃに格納される。
【００２９】
一方、文書配置サーバ２０には、文書データ記憶手段Ｄ２、レイアウトパターン記憶手段Ｄ３にそれぞれ必要なデータを格納する。文書データやレイアウトパターンは、所定のタイミングで更新される。例えば、文書データが新聞を構成する記事についてのものである場合、１日１回更新されることになる。特に、新聞のデータを利用する場合、新聞を印刷するために用いる文書データや面種別、面番号等の情報を流用して、文書データ記憶手段Ｄ２に格納しておくことにより、効率的な運用が可能となる。
【００３０】
新聞のデータを利用する場合、新聞のデータは、紙面単位で保有する記事、写真を対応付けたデータとなっており、例えば、ＸＭＬ形式で記述されている。文書配置サーバ２０が、このＸＭＬ形式の新聞データをそのまま文書データ記憶手段Ｄ２に格納し、図４に示した文書情報として利用しても良いし、ＸＭＬ形式の新聞データを別のフォーマットに変換し、文書データ記憶手段Ｄ２に格納し、図４に示した文書情報として利用しても良い。
【００３１】
＜３．ページデータの作成＞
ページデータの作成について説明する。文書配置サーバ２０は、入力Ｉ／Ｆ２０ｄを介して指定された際、定期的に、または文書データやレイアウトパターンが更新された際に、ページデータの作成を開始する。まず、ＣＰＵ２０ａは処理対象とする面を決定する（ステップＳ１１）。具体的には、面番号の最も若い番号を選択し、処理対象とする。例えば、図４に示した例の場合、面番号「Ｍ１」を取得し、処理対象の面として決定する。
【００３２】
処理対象とする面が決定されたら、レイアウトパターン取得手段２１が、面番号に対応するレイアウトパターンを取得する（ステップＳ１２）。具体的には、まず、レイアウトパターン取得手段２１は、面番号で文書データ記憶手段Ｄ２内の文書情報を参照し、面番号に対応する面種別を取得する。例えば、面番号が「Ｍ１」である場合、図４の例では、対応する面種別「１面」を取得することになる。続いて、レイアウトパターン取得手段２１は、面種別でレイアウトパターン記憶手段Ｄ３内のレイアウトパターン対応情報を参照し、面種別に対応するレイアウトパターン番号を取得する。例えば、面種別が「１面」である場合、図５の例では、対応するレイアウトパターンＰ１を取得することになる。
【００３３】
レイアウトパターンを取得したら、次に、文書配置手段２２が、ステップＳ１１において取得された面番号に対応する文書データを取得し、その文書データをステップＳ１２において取得されたレイアウトパターンに配置する処理を行う（ステップＳ１３）。図４の例では、面番号「Ｍ１」の文書データが６個存在し、レイアウトパターンＰ１には、文書配置領域が５箇所存在するので、文書番号の昇順に５個を配置する。文書データには、事前に番号が付与されており、文書配置領域にも、順に番号が付与されているので、互いに番号順に割り当てることにより、各文書データを配置する文書配置領域が決定する。したがって、図４、図６の例では、文書データＫ１〜Ｋ５が、それぞれ文書配置領域Ｒ１〜Ｒ５に配置されることになる。また、文書データに画像データが付随している場合には、画像データも文書配置領域に配置する。画像データを配置した場合、その分配置される文字数は少なくなる。
【００３４】
文書配置手段２２は、各文書データの文字を各文書配置領域の先頭から順に配置していく。面全体を表示した際にも、各文字が見づらくならないように、文字サイズは所定の大きさ以上に設定してある。例えば、図６（ａ）のレイアウトパターンを用いて７インチの画面に表示する場合、文字サイズを１１．２５ポイントとする。文字サイズが所定の大きさ以上であるため、通常、文書データの文字は、文書配置領域には全ては収まらないことになる。また、文書配置手段２２は、文書配置領域に配置されない文書データについて、その見出しをレイアウトパターン外の文書見出し欄（後述）に配置する処理を行う。これによりページデータが得られる。上述のように、ページデータは、ＨＴＭＬ等のページ記述言語で作成されたものであり、文書表示装置である携帯型端末１０で表示する際、携帯型端末１０が解釈して所定の体裁で表示可能なように、タグを用いた記述がなされている。
【００３５】
文書データをレイアウトパターンに配置して、ページデータが得られたら、文書配置手段２２は、ページデータ記憶手段Ｄ４に、ページデータを格納する（ステップＳ１４）。実際には、得られたページデータを、ＣＰＵ２０ａが記憶装置２０ｃに記憶させる。
【００３６】
また、文書配置手段２２は、各文書データについて、１文書データにつき、その全文を配置したページデータを作成し、作成されたページデータをページデータ記憶手段Ｄ４に格納する。この結果、ページデータ記憶手段Ｄ４には、各面に対応した数のページデータと各文書データに対応した数のページデータが格納されることになる。ページデータには、各ページデータを特定する識別番号（例えば、面番号、文書番号）が対応付けられており、各ページデータ内のリンクタグには、ページデータを特定する識別番号が記述されており、表示された際に所定の領域を指示すると、対応するページデータに切り替えて表示することが可能になっている。
【００３７】
また、文書配置手段２２は、想定される携帯型端末１０の画面に合わせた大きさでページデータを作成する。したがって、携帯型端末１０で画面を表示する際、スクロールの必要なしに、面の内容が全て表示されることになる。
【００３８】
＜４．文書の表示＞
次に、文書表示装置における文書表示処理について、図９のフローチャートを用いて説明する。利用者が、携帯型端末１０において、文書表示のための専用プログラム（アプリ）を起動させると、ページデータ要求手段１１は、記憶装置１０ｃに記憶されたＵＲＬを用いて文書配置サーバ２０にアクセスし、ページデータの要求信号を送信する（ステップＳ２１）。
【００３９】
文書配置サーバ２０では、通信部２０ｇが携帯型端末１０からページデータの要求信号を受信する。そして、ページデータ取得手段２３が、ページデータ記憶手段Ｄ４からページデータを取得する（ステップＳ２２）。複数のページデータが存在する場合は、複数のページデータを送信する。続いて、ページデータ送信手段２４が、ページデータ取得手段２３により取得されたページデータを携帯型端末１０に送信する（ステップＳ２３）。
【００４０】
携帯型端末１０では、通信部１０ｇが文書配置サーバ２０からページデータを受信する。そして、ＣＰＵ１０ａが受信したページデータを、それぞれページデータ記憶手段Ｄ１に格納する処理を行う（ステップＳ２４）。
【００４１】
次に、表示手段１３が、選択された面に対応するページデータを表示する（ステップＳ２５）。具体的には、指示入力部１０ｄから直接指定された場合には、対応する面番号を取得する。専用プログラムの起動後、面を指定する指示がない場合は、デフォルトで設定されている１面の面番号「Ｍ１」を取得し、処理対象の面として決定する。そして、決定された面番号に対応して記憶されたページデータを取得し、表示する。
【００４２】
図８は、携帯型端末１０の表示部１０ｆに表示された画面の例を示す図である。図８の例では、レイアウトパターンＰ１の場合を例にとって示している。レイアウトパターンＰ１に対応する文書配置領域Ｒ１〜Ｒ５に示した多数の□は、文書データの文字が配置された位置を示している。面積の大きい文書配置領域Ｒ１、Ｒ２では上下の２段組になっている。また、面積の大きい文書配置領域Ｒ１、Ｒ２には、文書データに付随する画像データが配置されている。
【００４３】
また、文書データ中に見出しが存在する場合は、文書配置領域Ｒ１、Ｒ５に示すように本文より大きい文字サイズで表示する。図面の都合上、文書配置領域Ｒ２〜Ｒ４では省略しているが、文書データ中に見出しが存在する場合は、見出しを表示する。各見出しの文字サイズは、文書配置領域ごとに設定されているが、通常、面積の大きい文書配置領域ほど大きくなるように設定がなされる。文書データの本文の文字サイズは、全ての文書配置領域で同一である。これは、面積の小さい文書配置領域であっても、読み易い大きさの文字サイズで表示する必要があるためである。ただし、読みづらくならない範囲で、文書配置領域により多少文字サイズを変更するようにしても良い。
【００４４】
各文書配置領域Ｒ１〜Ｒ５には、リンクが貼り付けられており、文書配置領域Ｒ１〜Ｒ５のいずれかが指示されると、ページを切り替え、指示された文書配置領域に対応する文書データＫ１〜Ｋ５のいずれかの全文を表示する。具体的には、別のページ番号が付与されたページデータを取得し、表示手段１３が、表示処理を行う。
【００４５】
文書配置領域Ｒ１〜Ｒ５の下方には、文書見出し欄Ｌと広告欄が設けられている。文書見出し欄Ｌには、ステップＳ１３において、文書配置領域Ｒ１〜Ｒ５に配置できなかった文書データの見出しが配置される。図４の例では、文書データＫ６が、文書配置領域Ｒ１〜Ｒ５に配置されないことになるので、文書見出し欄Ｌには、文書データＫ６の見出しが配置される。文書配置領域に配置されない文書データが２つ以上ある場合は、文書配置領域のサイズに収まる範囲で見出しを配置し、それ以外に「ほか」という記述を表示する。各見出しには、リンクが貼り付けられており、各見出しを指示するとページが切り替わり、文書データ本文が全文表示される。「ほか」という記述には、リンクが貼り付けられており、「ほか」という記述を指示すると１以上の見出しが表示され、さらに各見出しを指示すると文書データ本文が全文表示される。
【００４６】
文書配置領域の上側には、横一列に面選択タブＴが配置されている。図８の例では、「一面」「政治」「経済」「国際」「社説」「オピニオン」「生活」「教育」「スポーツ」「社会」の１０個の面選択タブＴが配置されており、「一面」の面選択タブＴが選択された状態となっている。他の面選択タブＴを選択する指示が指示入力部１０ｄから行われると、上記ステップＳ１１において説明したように、その面番号を取得して処理対象の面として決定し、上記ステップＳ１２〜Ｓ１４の処理を実行することにより、選択された面選択タブＴに対応する面の記事データが表示される。面選択タブＴは面と１対１に対応し、面の数と同数だけ設けられる。新聞の場合、日によって面の数が異なるので、それに応じて面選択タブＴの数も変化することになる。
【００４７】
面選択タブＴの上方には、面移動ボタンＢが設けられている。この面移動ボタンＢが操作されると、隣接する他の面に切り替えて表示を行う。例えば、図８のように「一面」が選択されている状態で、左側の面移動ボタンＢが操作されると、「政治」の面に切り替えて表示する。「一面」が選択されている状態で、右側の面移動ボタンＢが操作されると、設定されている別のページに移動する。別のページとしては、上述のような各文書データの全文表示のページを設定しておくことができる。
【００４８】
上記各面におけるリンクの貼り付けや、面選択タブＴ、面移動ボタンＢ、文書配置領域Ｒ１〜Ｒ５、文書見出し欄Ｌに対する指示を行った際における他の面やページへの移動等は、面やページを構成するデータをＨＴＭＬ等のページ記述言語で作成することにより実現される。また、上記面選択タブＴ、面移動ボタンＢの指示は、携帯型端末１０の指示入力部１０ｄがタッチパネルの入力を受け付ける構成である場合、該当箇所を触れる操作により実現される。また、携帯型端末１０の指示入力部１０ｄがタッチパネルの入力を受け付ける構成である場合、前後の面やページに移動するために、面移動ボタンＢの操作に代えて、指によるスライド操作により行う構成としても良い。
【００４９】
以上、本発明の好適な実施形態について説明したが、本発明は、上記実施形態に限定されず、種々の変形が可能である。例えば、上記実施形態では、面種別ごとに１つのレイアウトパターンが用意されている場合について説明したが、面種別ごとに複数のレイアウトパターンを用意しておき、１日ごとに順番に変更したり、ランダムに変更したりするなどして、その日のレイアウトパターンを決定するようにしても良い。その場合、文書配置サーバ２０でレイアウトパターンを決定し、面種別ごとに１つのレイアウトパターンをレイアウトパターン記憶手段Ｄ３に格納しておく。
【００５０】
また、上記実施形態では、携帯型端末１０が、文書配置サーバ２０にアクセスして、レイアウトパターンを取得するようにしたが、レイアウトパターンを日によって変更する必要がなければ、予めレイアウトパターンをレイアウトパターン記憶手段Ｄ３に記憶しておくようにしても良い。この場合、処理を行う度に文書配置サーバ２０からレイアウトパターンを取得する必要がなくなる。
【００５１】
また、上記実施形態では、文書配置領域に配置できなかった文書データの見出しを文書配置領域とは別の文書見出し欄Ｌに配置するようにしたが、文書配置領域のうち最も大きい番号の領域（優先順位の低いの領域）を文書見出し欄とするようにしても良い。例えば、図８の例では、文書配置領域Ｒ５が文書見出し欄として用いられることになる。
【産業上の利用可能性】
【００５２】
本発明は、文書データを端末装置に表示する情報処理産業、特に、新聞紙等の紙媒体が存在する文書を端末装置に表示するための産業に利用可能である。
【符号の説明】
【００５３】
１０・・・携帯型端末（文書表示装置）
１０ａ・・・ＣＰＵ
１０ｂ・・・ＲＡＭ
１０ｃ・・・記憶装置
１０ｄ・・・指示入力部
１０ｅ・・・データ入出力Ｉ／Ｆ
１０ｆ・・・表示部
１０ｇ・・・通信部
１１・・・ページデータ要求手段
１２・・・ページデータ取得手段
１３・・・表示手段
２０・・・文書配置サーバ（文書配置装置）
２０ａ・・・ＣＰＵ
２０ｂ・・・ＲＡＭ
２０ｃ・・・記憶装置
２０ｄ・・・入力Ｉ／Ｆ
２０ｅ・・・データ入出力Ｉ／Ｆ
２０ｆ・・・表示出力Ｉ／Ｆ
２０ｇ・・・通信部
２１・・・レイアウトパターン取得手段
２２・・・文書配置手段
２３・・・ページデータ取得手段
２４・・・ページデータ送信手段
３０・・・ネットワーク
１００・・・文書表示システム
Ｂ・・・面移動ボタン
Ｄ１・・・ページデータ記憶手段
Ｄ２・・・文書データ記憶手段
Ｄ３・・・レイアウトパターン記憶手段
Ｄ４・・・ページデータ記憶手段
Ｋ１〜Ｋ７・・・文書データ
Ｌ・・・文書見出し欄
Ｐ１〜Ｐ４・・・レイアウトパターン
Ｒ１〜Ｒ６・・・文書配置領域
Ｔ・・・面選択タブ
【図１】
2014013436.tif 000003
【図２】
2014013436.tif 000004
【図３】
2014013436.tif 000005
【図４】
2014013436.tif 000006
【図５】
2014013436.tif 000007
【図６】
2014013436.tif 000008
【図７】
2014013436.tif 000009
【図８】
2014013436.tif 000010
【図９】
2014013436.tif 000011